(57)【要約】【課題】菰を巻くために用いられる中空樽芯材を有効に活用した合理的な改造により、オルゴール等の自動演奏器による演奏を音響効果の高い状態で楽しむことができ、しかも、コスト面でも有利に市場に提供する。【解決手段】複数の貫通孔７を備えた中空樽芯材１の外周面を菰で巻装するとともに、中空樽芯材１の内部に、自動演奏器４とこれを収納する共鳴ケース５とが配設されている。【選択図】　　　　図５
2004013092.tif 000002
【特許請求の範囲】
【請求項１】
複数の貫通孔を備えた中空樽芯材の外周面を菰で巻装してある装飾用菰樽であって、
前記中空樽芯材の内部に、自動演奏器とこれを収納する共鳴ケースとが配設されている装飾用菰樽。
【請求項２】
前記自動演奏器を始動操作する手動操作具が、中空樽芯材の貫通孔を通して菰の外周面に突設されている請求項１記載の装飾用菰樽。
【請求項３】
前記中空樽芯材が、円形状の天井壁部と、多数の貫通孔を形成してある略円筒形状の周壁部、円形状の底壁部と、底壁部の下面に連設される筒状の脚部とから構成されている請求項１又は２記載の装飾用菰樽。
【請求項４】
前記共鳴ケースが、中空樽芯材の天井壁部の内面と底壁部の内面とに接触する状態で装着されている請求項１、２又は３記載の装飾用菰樽。
【請求項５】
前記中空樽芯材が、直径方向から接合可能な前後一対の分割樽芯材から構成されているとともに、後方側の分割樽芯材内に自動演奏器及び共鳴ケースが組付けられている請求項１、２、３又は４記載の装飾用菰樽。
【請求項６】
前記自動演奏器が、中空樽芯材の周壁部の貫通孔間に位置する壁部分に緊縛されている請求項１、２、３、４又は５記載の装飾用菰樽。
【発明の詳細な説明】
【０００１】
【発明の属する技術分野】
本発明は、贈答や陳列等に用いられる装飾用菰樽の改良に関する。
【０００２】
【従来の技術】
菰樽は、日本の伝統、風俗、酒文化、及び稲作文化の中で形成されてきた化粧樽の一つであり、酒樽を覆う菰には、多くは酒造メーカーの酒銘柄が記載され、古くから宣伝媒体として用いられるとともに、色彩のある絵柄や模様などの化粧が施されていて、見た目にも華やかな雰囲気を持っているので、神社等への奉納の品、祝いの席での鏡開き用酒樽としての用途以外に、近年では、通常の酒樽寸法よりも小型にして、装飾機能に優れた贈答用品や賞品、景品として活用されている。
【０００３】
そして、従来の装飾用菰樽の場合では、菰樽の外面輪郭形状に対応する外面形状に形成された樽芯材の外周面を、絵柄や模様等の所要の装飾処理が施されている又は所要の装飾処理を施すための表示面を備えた合成樹脂製の菰で巻装し、その外周面の所定箇所を縄状の紐で緊縛していた。
【０００４】
【発明が解決しようとする課題】
従来の装飾用菰樽では、菰の外周面に描かれた、色彩のある絵柄や模様等の装飾処理により、見た目にも華やかな雰囲気を醸し出すことができるものの、それ以外の機能は有していないため、用途が自ずと限定されていた。
【０００５】
本発明は、上述の実状に鑑みて為されたものであって、その主たる課題は、菰を巻くために用いられる中空樽芯材を有効に活用した合理的な改造により、オルゴール等の自動演奏器による演奏を音響効果の高い状態で楽しむことができ、しかも、コスト面でも有利に市場に提供することのできる装飾用菰樽を提供する点にある。
【０００６】
【課題を解決するための手段】
本発明の請求項１による特徴構成は、複数の貫通孔を備えた中空樽芯材の外周面を菰で巻装してある装飾用菰樽であって、
前記中空樽芯材の内部に、自動演奏器とこれを収納する共鳴ケースとが配設されている点にある。
【０００７】
上記特徴構成によれば、菰を巻くために用いられる樽芯材として、複数の貫通孔を備えた中空樽芯材を用いることにより、それの内部空間を、オルゴールやオルガニート等の自動演奏器を納めるための収納空間として活用することができ、しかも、中空樽芯材の外周面に形成されている軽量化等のための多数の貫通孔と、自動演奏器を収納する共鳴ケースとにより、中空樽芯材の外周を菰で巻装しながらも、自動演奏器の演奏音が外部に効果的に抜けて良く響くことになる。
【０００８】
従って、菰樽特有の装飾効果以外に、オルゴール等の自動演奏器による演奏を音響効果の高い状態で楽しむことができ、しかも、そのための加工数も少なくて済むから、コスト面でも有利に市場に提供することができる。
【０００９】
本発明の請求項２による装飾用菰樽の特徴構成は、前記自動演奏器を始動操作する手動操作具が、中空樽芯材の貫通孔を通して菰の外周面に突設されている点にある。
【００１０】
上記特徴構成によれば、中空樽芯材の外周面に形成されている軽量化等の為の貫通孔を利用して、自動演奏器を始動操作する手動操作具を菰の外周面に簡単に突設することができるから、加工数の削減による製造コストの低廉化を促進することができる。
【００１１】
本発明の請求項３による装飾用菰樽の特徴構成は、前記中空樽芯材が、円形状の天井壁部と、多数の貫通孔を形成してある略円筒形状の周壁部、円形状の底壁部と、底壁部の下面に連設される筒状の脚部とから構成されている点にある。
【００１２】
上記特徴構成によれば、中空樽芯材の天井壁部と周壁部及び底壁部とをもって、自動演奏器及び共鳴ケースを納めるための収納空間を形成することができるばかりでなく、底壁部の下面とそれに連設される筒状の脚部とで共鳴空間（共鳴箱）を形成することができるから、中空樽芯材の外周を菰で巻装しながらも、自動演奏器の演奏音が外部に効果的に抜けてより効率良く響くことになり、自動演奏器による演奏を音響効果の高い状態で楽しむことができる。
【００１３】
本発明の請求項４による装飾用菰樽の特徴構成は、前記共鳴ケースが、中空樽芯材の天井壁部の内面と底壁部の内面とに接触する状態で装着されている点にある。
【００１４】
上記特徴構成によれば、中空樽芯材内に配設される共鳴ケースが、中空樽芯材の天井壁部と底壁部との間に亘る柱状部材として機能するから、中空樽芯材を頑丈に構成することができ、装飾用菰樽の耐久性を高めることができる。
【００１５】
本発明の請求項５による装飾用菰樽の特徴構成は、前記中空樽芯材が、直径方向から接合可能な前後一対の分割樽芯材から構成されているとともに、後方側の分割樽芯材内に自動演奏器及び共鳴ケースが組付けられている点にある。
【００１６】
上記特徴構成によれば、分離された一方の分割樽芯材の大きな開口を通して、自動演奏器及び共鳴ケースを能率良く容易に組付けることができる。
【００１７】
本発明の請求項６による装飾用菰樽の特徴構成は、前記自動演奏器が、中空樽芯材の周壁部の貫通孔間に位置する壁部分に緊縛されている点にある。
【００１８】
上記特徴構成によれば、中空樽芯材内に配設される共鳴ケースを固定するに当たって、中空樽芯材の周壁部外周面に形成されている軽量化等の為の貫通孔及びそれの隣接間に位置する壁部分を利用して、共鳴ケースを紐類で簡単に緊縛固定することができ、製造コストの低廉化を促進することができる。
【００１９】
【発明の実施の形態】
〔第１実施形態〕
図１〜図６は、菰樽の外面輪郭形状に対応する外面形状に形成された合成樹脂製の中空樽芯材１の外周面を、絵柄や模様等の所要の装飾処理が施されている又は所要の装飾処理を施すための表示面２ａを備えた合成樹脂製の菰２で巻装したのち、その外周面の所定箇所を縄径の異なる複数種類の合成樹脂製の縄状紐３Ａ，３Ｂで緊縛してある装飾用菰樽を示し、中空樽芯材１の内部に、自動演奏器の一例であるオルゴール４とこれを収納する透明な合成樹脂製の共鳴ケース５とが配設されているとともに、オルゴール４の回転操作軸４ａを始動回転操作する手動操作具６が、中空樽芯材１の周壁１ｂに貫通形成された多数の貫通孔７のうち、最後部に位置する長円形状の貫通孔７、および、菰２の背面側の合わせ部間を通して菰２の外周面に突設されている。
【００２０】
前記中空樽芯材１は、円形状の天井壁部１ａと、多数の貫通孔７を形成してある略円筒形状の周壁部１ｂ、円形状の底壁部１ｃと、底壁部１ｃの下面に連設される筒状の脚部１ｄとから構成されているとともに、樽軸芯を通る左右方向に沿う鉛直面において、直径方向から接合可能な前後一対の分割樽芯材１Ａ，１Ｂに二分割されていて、そのうち、後部分割樽芯材１Ｂ内にオルゴール４及び共鳴ケース５が組付けられている。
【００２１】
そして、中空樽芯材１の天井壁部１ａと周壁部１ｂ及び底壁部１ｃとをもって、オルゴール４及び共鳴ケース５を納めるための収納空間Ｓを形成することができるばかりでなく、底壁部１ｃの下面とそれに連設される筒状の脚部１ｄとで共鳴空間（共鳴箱）Ｓ１を形成することができるから、中空樽芯材１の外周を菰２で巻装しながらも、オルゴール４の演奏音が外部に効果的に抜けてより効率良く響くことになり、オルゴール４による演奏を音響効果の高い状態で楽しむことができる。
【００２２】
また、前部分割樽芯材１Ａの開口端面の四隅相当個所には、後方側に向かって開口する嵌合孔１ｅが形成され、後部分割樽芯材１Ｂの開口端面の四隅相当個所には、前部分割樽芯材１Ａの各嵌合孔１ｅに嵌合する連結突起１ｆが一体的に突出形成されているとともに、両分割樽芯材１Ａ，１Ｂの底壁部１ｃの下面には、樽軸芯を通る前後方向の線分上に沿う姿勢で相手側に突出する補強突条１ｇが一体形成され、両補強突条１ｇの突出部分には、両分割樽芯材１Ａ，１Ｂを嵌合連結したとき、互いに前後方向から当接して両分割樽芯材１Ａ，１Ｂの左右方向での位置決めを行う傾斜規制面１ｈが形成されている。
【００２３】
前記共鳴ケース５が、オルゴール４を脱着自在に収納可能な大きさで後方に向かって開口５ａする直方体状の箱型に成形されているとともに、それの最大高さが、後部分割樽芯材１Ｂの天井壁部１ａの内面と底壁部１ｃの内面との間の内部高さと同一寸法構成されていて、共鳴ケース５を後部分割樽芯材１Ｂ内に装着した状態では、共鳴ケース５の天井壁部５ｂの外面と底壁部５ｃの外面が、後部分割樽芯材１Ｂの天井壁部１ａの内面と底壁部１ｃの内面とに接触するように構成されている。
【００２４】
それ故に、中空樽芯材１内に配設される共鳴ケース５が、中空樽芯材１の天井壁部１ａと底壁部１ｃとの間に亘る柱状部材として機能するから、中空樽芯材１を頑丈に構成することができ、装飾用菰樽の耐久性を高めることができる。
【００２５】
前記オルゴール４の複数箇所は、後部分割樽芯材１Ｂの周壁部１ｂのうち、貫通孔７の隣接間に位置する縦桟状又は横桟状の壁部分１ｊに合成樹脂製の縄状紐３Ｃで緊縛固定されているとともに、この緊縛固定されたオルゴール４の下面と後部分割樽芯材１Ｂの底壁部１ｃとの間には、共鳴ケース５の底壁部５ｃを差込み自在な空隙が確保されている。
【００２６】
〔その他の実施形態〕
（１）上述の第１実施形態では、自動演奏器４としてオルゴールを例に挙げたが、オルガニート等の他の自動演奏器を用いて実施してもよい。
【００２７】
（２）上述の第１実施形態では、オルゴール等の自動演奏器４を後部分割樽芯材１Ｂ内に配設したが、この自動演奏器４を前部分割樽芯材１Ａ内に配設してもよく、また、両分割樽芯材１Ａ，１Ｂ内に亘って配設してもよい。
【００２８】
（３）上述の第１実施形態では、中空樽芯材１を樽軸芯を通る左右方向に沿う鉛直面において二分割したが、三つ以上に分割してもよく、また、上方に開口する芯材本体とそれの開口を開閉する蓋とから構成してもよい。
要するに、中空樽芯材１としては、菰２を巻装することができ、かつ、自動演奏器４及び共鳴ケース５を収納可能な空間と複数の貫通孔７とを備えた中空状のものであればよい。
【００２９】
（４）上述の第１実施形態では、オルゴール等の自動演奏器４を縄状の紐２で中空樽芯材１に緊縛固定したが、接着剤や接着テープ或いはビス等の他の固定手段で中空樽芯材１に取付けてもよい。
【図面の簡単な説明】
【図１】本願発明の装飾用菰樽の第１実施形態を示す正面図
【図２】背面側の斜視図
【図３】中空樽芯材の両分割樽芯材を接合したときの斜視図
【図４】中空樽芯材の両分割樽芯材を接合する前の斜視図
【図５】共鳴ケースを装着する前の斜視図
【図６】中空樽芯材の両分割樽芯材を接合したときの断面側面図
【符号の説明】
１　　　中空樽芯材
１Ａ　　分割樽芯材
１Ｂ　　分割樽芯材
１ａ　　天井壁部
１ｂ　　周壁部
１ｃ　　底壁部
１ｄ　　脚部
１ｊ　　壁部分
２　　　菰
３　　　紐
４　　　自動演奏器（オルゴール）
５　　　共鳴ケース
６　　　手動操作具
７　　　貫通孔
【図１】
2004013092.tif 000003
【図２】
2004013092.tif 000004
【図３】
2004013092.tif 000005
【図４】
2004013092.tif 000006
【図５】
2004013092.tif 000007
【図６】
2004013092.tif 000008